【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
血液処理のための透析装置において、
コントローラユニットであって、
内面を有するドア、
パネルを有するハウジングであり、前記ハウジング及び前記パネルが前記ドアの前記内面を収容するよう構成した窪み付き領域を画定する、該ハウジング、
前記パネルに固着したマニホルド収容部であり、前記マニホルド収容部がマニホルドを収容するよう構成され、前記マニホルドを通じ、前記血液が患者からダイアライザを通じて流れる、該マニホルド収容部、及び
処理ユニットであり、前記マニホルド及び前記ダイアライザを通じた前記血液の流れを制御する、該処理ユニット
を有する、該コントローラユニットと、
底部ユニットであって、前記底部ユニットは、前記コントローラユニットに物理的に取付け、取外しでき、取付け時には、前記コントローラユニットとデータ通信するよう構成され、また、前記底部ユニットは、
流体容器を受止める平面状表面であり、前記流体容器が前記マニホルドと流体連通する、該平面状表面、
前記平面状表面と物理的連通をする第１の秤、及び
前記流体容器に熱的連通をするヒータ
を有する、該底部ユニットと
を備えた、透析装置。
【請求項２】
請求項１記載の透析装置において、前記パネルは、複数のポンプにアクセスできるよう構成した、透析装置。
【請求項３】
請求項２記載の透析装置において、前記透析装置は４個の蠕動ポンプを備え、前記内面は４個のポンプシューを有する、透析装置。
【請求項４】
請求項３記載の透析装置において、前記ドアは窪み付き領域内に収容されるとき、前記４個のポンプシューは各個に前記４個の蠕動ポンプのうち１つと整列する、透析装置。
【請求項５】
請求項１記載の透析装置において、前記透析装置は、前記流体を使用する透析処置を行うよう構成され、前記流体の量は、非滅菌水源からの約６リットルの水の量に等しい、透析装置。
【請求項６】
請求項１記載の透析装置において、前記マニホルドは、成形プラスチック製であり、第１流路を画定する基板であり、前記第１流路は第２流路から流体的に隔絶する構成とした、透析装置。
【請求項７】
請求項６記載の透析装置において、前記成形プラスチック製の基板は複数個のチューブに結合し、また前記複数個のチューブは前記ダイアライザに結合した、透析装置。
【請求項８】
請求項７記載の透析装置において、前記複数個のチューブは、吸着剤カートリッジに着脱可能に取付けることができるよう構成した、透析装置。
【請求項９】
請求項８記載の透析装置において、前記底部ユニットは、さらに、前記底部ユニットの外部に連結した部材であり、前記吸着剤カートリッジを物理的に収容する構成とした、該部材を有する、透析装置。
【請求項１０】
請求項１記載の透析装置において、前記コントローラユニットは、第１物理的インタフェース及び第１データインタフェースを設けた底面を有する、透析装置。
【請求項１１】
請求項１０記載の透析装置において、前記底部ユニットは、前記第１物理的インタフェースと補完し合う構成とした第２物理的インタフェース、及び前記第１データインタフェースと補完し合う構成とした第２データインタフェースを設けた頂面を有する、透析装置。
【請求項１２】
請求項１記載の透析装置において、前記秤は、複数個の屈曲部及び複数個のホールセンサを有し、前記屈曲部の各々は、前記平面状表面に物理的に連通し、また前記ホールセンサの各々は、物理的変位を感知するよう構成した、透析装置。
【請求項１３】
請求項１記載の透析装置において、前記流体と電磁的連通をするナトリウムセンサをさらに備え、前記ナトリウムセンサは、導電率センサにより構成した、透析装置。
【請求項１４】
請求項１記載の透析装置において、前記底部ユニットは、開放状態又は閉鎖状態をとることができるドアを有し、前記ドアは、前記ドアの内面が前記窪み付き領域に収容されたとき、前記開放状態になるのを物理的に阻止されるよう構成した、透析装置。
【請求項１５】
請求項１記載の透析装置において、前記コントローラユニットは、前記ドアの内面が前記窪み付き領域にあるとき、前記マニホルドに連通する複数個のセンサを有する、透析装置。
【請求項１６】
請求項１５記載の透析装置において、前記複数個のセンサのうち少なくとも１個は圧力変換器により構成した、透析装置。
【請求項１７】
請求項１６記載の透析装置において、前記圧力変換器は、前記マニホルドに組入れた可撓性薄膜に圧力連通する、透析装置。
【請求項１８】
請求項１記載の透析装置において、前記コントローラユニットは、前記マニホルドに連通する少なくとも１個のバルブコンポーネントを有する、透析装置。
【請求項１９】
請求項１８記載の透析装置において、前記コントローラユニットは、メモリであって、前記メモリの内部に記憶された複数のプログラム的命令を有する、該メモリを備え、前記複数のプログラム的命令は、前記処理ユニットによる実行の際に、前記バルブコンポーネントを作動させ、前記バルブコンポーネントの作動により前記マニホルドにおける２個の個別流路のうち一方に流体流を導く構成とした、透析装置。
【請求項２０】
請求項１９記載の透析装置において、前記バルブコンポーネントの作動は、前記透析装置の作動モードに依存する、透析装置。
【請求項２１】
請求項１記載の透析装置のシステムにおいて、前記コントローラユニットは、さらに、第１安定状態及び第２安定状態を有し、また磁石を設けたバルブを有し、前記バルブに対するエネルギー入力が、変位部材を前記コントローラユニット内で移動させる磁気力を発生し、前記変位部材の移動が前記第１安定状態と前記第２安定状態との間における変化を生ぜしめ、また前記第１又は第２の安定状態の維持にはエネルギー入力は不要にした、透析システム。
【請求項２２】
請求項１５記載の透析装置において、前記複数個のセンサのうち少なくとも１個は流量計とした、透析装置。
【請求項２３】
請求項１記載の透析装置において、前記コントローラユニットは、さらに、前記マニホルドに埋め込んだ識別データを検出するリーダを有する、透析装置。
【請求項２４】
請求項１記載の透析装置において、前記コントローラユニットは、さらに、前記処理ユニットとデータ通信する温度センサであって、前記ドアが前記窪み付き領域内にあるとき、前記マニホルドと熱的連通し得る、該温度センサを有する、透析装置。
【請求項２５】
請求項１記載の透析装置において、前記コントローラユニットは、患者との血液ライン接続部が離脱する場合を決定する離脱モニタを有する、透析装置。
【請求項２６】
請求項１記載の透析装置のシステムにおいて、前記コントローラユニットは、さらに、 ディスプレイと、
複数個の磁石を有する第２の秤と、
電子リーダと、及び
複数のプログラム的命令を記憶するメモリであり、前記処理ユニットによる実行の際に前記命令は、以下のインタフェース、すなわち、
前記ディスプレイ上に提示する第１グラフィカル・ユーザー・インタフェースであり、前記システムでの使用者に対してバーコードスキャナを使用するスキャンに複数の添加剤を通すよう促す、該第１グラフィカル・ユーザー・インタフェース、及び
前記ディスプレイ上に提示する第２グラフィカル・ユーザー・インタフェースであり、前記システムの使用者に対して、前記秤を使用する測定に複数の添加剤をかけるよう促す、該第２グラフィカル・ユーザー・インタフェース
を生成する、該メモリと
を有する、透析システム。
【請求項２７】
請求項１記載の透析装置のシステムにおいて、前記マニホルドは、成形プラスチック製の基板であって、前記基板に画定した第１流路及び第２流路を有する、該成形プラスチック製の基板を備え、前記第１流路及び第２流路をバルブによって流体的に分離した、透析システム。
【請求項２８】
請求項２７記載の透析装置のシステムにおいて、前記コントローラユニットは、さらに、複数のプログラム的命令を記憶するメモリを有し、前記プログラム的命令は、前記処理ユニットによる実行の際に、選択した動作モードに基づいて、前記バルブの第１状態及び第２状態を規定するよう構成した、透析システム。
【請求項２９】
請求項２８記載の透析装置のシステムにおいて、前記選択した動作モードは、プライミングモード又は処置モードのいずれかとした、透析システム。
【請求項３０】
請求項１記載の透析装置のシステムにおいて、前記マニホルドは、成形プラスチック製の基板を備え、前記基板は、流体を患者に注入する第１流体回路と、前記流体を患者から取出す第２流体回路とを有する、透析システム。
【請求項３１】
請求項３０記載の透析装置のシステムにおいて、前記コントローラユニットは、さらに、前記第１流体回路上及び前記第２流体回路上で交互に動作するよう構成した第１ポンプと、前記第１流体回路上及び前記第２流体回路上で交互に動作するよう構成した第２ポンプと、前記第１ポンプを前記第１流体回路上及び前記第２流体回路上で交互に動作させ、かつ前記第２ポンプを前記第１流体回路上及び前記第２流体回路上で交互に動作させるコントローラとを有し、これにより前記第１ポンプ及び前記第２ポンプはそれぞれ、所定時点で単に１個の回路上でのみ動作するよう構成した、透析システム。
【請求項３２】
請求項１記載の透析装置のシステムにおいて、前記パネルは、さらに、２つの傾斜表面により画定されチャネルに達する漏斗状部を有し、前記チャネルは少なくとも１個の水分センサを有する、透析システム。
【請求項３３】
請求項３２記載の透析装置のシステムにおいて、前記ドアが前記窪み付き領域内に収容されるとき、前記漏斗状部は、前記マニホルドの下側に位置し、また前記マニホルドから漏れた流体を前記水分センサに向けて導く、透析システム。
【請求項３４】
請求項１記載の透析装置において、前記コントローラユニットの底面は、前記底部ユニットの頂面に着脱可能に取付け得るよう構成した、透析装置。
【請求項３５】
請求項３４記載の透析装置において、前記コントローラユニットは、前記コントローラユニットの前記底面が前記底部ユニットの頂面に取付けられた際に、自動的に前記底部ユニットと電気的に連通する状態となる、透析装置。
【請求項３６】
請求項１記載の透析装置において、前記コントローラユニットは、前記底部ユニットから物理的に取り外す、透析装置。
【請求項３７】
請求項３６記載の透析装置において、前記コントローラユニットは、前記コントローラユニットの前記底面が前記底部ユニットの頂面に取付けられた際に、自動的に前記底部ユニットとデータ通信する状態となる、透析装置。
【請求項３８】
透析装置において、
廃棄可能なプラスチック製の基板であって、患者に接続するよう構成されたチューブと、前記患者からの血液を輸送する流路とを有する、該廃棄可能なプラスチック製の基板、
ダイアライザであって、前記廃棄可能なプラスチック製の基板と流体連通し、前記血液を収容するよう構成された、該ダイアライザ、
第１ユニットであって、
第１面を有するドア、
前記ドアに取付けたハウジングであり、前記ハウジングが第２面を有する、該ハウジング、
前記第２面に固着した少なくとも１個のマニホルド収容部であり、前記廃棄可能なプラスチック製の基板を物理的に収容するよう構成された、該マニホルド収容部、
グラフィカル・ユーザー・インタフェースを表示するディスプレイ、及び
処理ユニットであり、前記廃棄可能なプラスチック製の基板及び前記ダイアライザを通じて前記血液の流れを制御する、該処理ユニット
を有する、該第１ユニットと、
第２ユニットであって、前記第２ユニットは、前記第１ユニットに物理的に取付け、取外しできるよう構成され、また、前記第２ユニットは、
流体容器を支持する少なくとも１つの平面状表面であり、前記流体容器が、前記廃棄可能なプラスチック製の基板と流体連通する、該平面状表面、
前記平面状表面に組入れた秤、及び
前記容器に熱的連通をするヒータ
を有する、該第２ユニットと
を備えた、透析装置。
【請求項３９】
請求項３８記載の透析装置において、前記廃棄可能なプラスチック製の基板は、第１流路を画定し、前記第１流路は第２流路から流体的に隔絶する、透析装置。
【請求項４０】
請求項３９記載の透析装置において、前記廃棄可能なプラスチック製の基板は、複数個の第１ポートを有し、これら複数個の第１ポートは複数個の第２ポートに整列するよう対向する、透析装置。
【請求項４１】
請求項４０記載の透析装置において、前記複数個の第１ポート及び前記複数個の第２ポートのうち少なくとも一方は、円筒形外部ハウジングを有する部材を有し、前記部材は、中心軸線により画定される内部空間を有する、透析装置。
【請求項４２】
請求項４０記載の透析装置において、前記複数個の第１ポートのうち少なくとも１個は、第１直径及びこの第１直径に直交する第２直径を有する断面積によって画定される、透析装置。
【請求項４３】
請求項４２記載の透析装置において、前記複数個の第１ポートのうち少なくとも１個は、第３直径及びこの第３直径に直交する第４直径を有する断面積によって画定されるポートチャネルに接続し、前記第４直径は前記第２直径よりも小さい、透析装置。
【請求項４４】
請求項３８記載の透析装置において、前記廃棄可能なプラスチック製の基板は、チューブセグメントを有し、前記チューブセグメントにより前記廃棄可能なプラスチック製の基板を前記ダイアライザに接続した、透析装置。
【請求項４５】
請求項４４記載の透析装置において、前記ダイアライザを前記透析装置の外部表面に着脱可能に取付ける収容部を備えた、透析装置。
【請求項４６】
請求項４４記載の透析装置において、前記チューブセグメントは、内部容積部を有する使い捨て導電率プローブを有し、前記内部容積部は前記チューブセグメントを流れる流体を収容する、透析装置。